(57)【特許請求の範囲】
【請求項１】
無線通信システムで移動セル基地局が同期信号を送信する方法であって、
前記移動セル基地局が、移動セル専用に割り当てられた所定のインデックスを有するシーケンスに基づいて生成された移動セル同期信号シーケンスを周波数領域にマッピングする段階と、
前記移動セル基地局が、前記マッピングされた移動セル同期信号シーケンスを送信する段階と、を有し、
前記移動セル同期信号シーケンスは、移動セルをサポートしない端末のための同期信号を送信するのに使用される所定の周波数領域とは異なる周波数領域にマッピングされ、
前記移動セル基地局は、前記移動セル専用に割り当てられた所定のインデックスに関する情報を使用して他の移動セルへのハンドオーバを遂行しないよう防止される、移動セル同期信号送信方法。
【請求項２】
前記移動セルをサポートしない端末のための同期信号は、搬送周波数を中心に６リソースブロック（ＲＢ）の長さを有する前記所定の周波数領域で送信され、
前記移動セル同期信号シーケンスは、前記搬送周波数から±所定間隔で離れた位置にマッピングされる、請求項１に記載の移動セル同期信号送信方法。
【請求項３】
前記移動セルは、前記移動セルをサポートしない端末のための同期信号に追加して、前記移動セル同期信号シーケンスを送信する、請求項１に記載の移動セル同期信号送信方法。
【請求項４】
前記追加して送信される移動セル同期信号シーケンスは、プライマリ同期信号（ＰＳＳ）及びセカンダリ同期信号（ＳＳＳ）の少なくとも一つを有する、請求項３に記載の移動セル同期信号送信方法。
【請求項５】
前記追加して送信される移動セル同期信号シーケンスは、プライマリ同期信号（ＰＳＳ）及びセカンダリ同期信号（ＳＳＳ）とは異なるシーケンスとして規定される、請求項３に記載の移動セル同期信号送信方法。
【請求項６】
前記移動セル同期信号シーケンスは、前記移動セル専用に割り当てられた所定のルートインデックスを有するザドフ−チューシーケンスに基づいて生成される、請求項１に記載の移動セル同期信号送信方法。
【請求項７】
前記所定のルートインデックスは、レガシ端末のセル探索に利用可能なルートインデックスの所定の一つとの和が前記ザドフ−チューシーケンスの長さに対応するように決定される、請求項６に記載の移動セル同期信号送信方法。
【請求項８】
前記所定のルートインデックスは、移動セルをサポートする端末のセル探索に利用可能なルートインデックスの所定の一つとの和が前記ザドフ−チューシーケンスの長さに対応するように決定される、請求項６に記載の移動セル同期信号送信方法。
【請求項９】
前記移動セル基地局は、移動セル専用識別（ＩＤ）情報を前記移動セル基地局が放送するシステム情報を介して送信する、請求項１に記載の移動セル同期信号送信方法。
【請求項１０】
無線通信システムで同期信号を送信するように構成された移動セル基地局装置であって、
無線を介してバックホール端に接続され、移動セル内の端末と無線信号を送受信するように構成された送受信部と、
移動セル専用に割り当てられた所定のインデックスを有するシーケンスに基づいて生成された移動セル同期信号シーケンスを周波数領域にマッピングするように構成され、
前記マッピングされた移動セル同期信号シーケンスを送信するよう前記送受信部を制御するように構成されたプロセッサと、を有し、
前記プロセッサは、前記移動セル同期信号シーケンスを、移動セルをサポートしない端末のための同期信号を送信するのに使用される所定の周波数領域とは異なる周波数領域にマッピングするようにさらに構成され、
前記プロセッサは、前記移動セル専用に割り当てられた所定のインデックスに関する情報を使用して他の移動セルへのハンドオーバを遂行しないよう防止される、移動セル基地局装置。
【請求項１１】
前記移動セル基地局装置は、移動性を有する交通手段に設置され、
前記交通手段は、バス、列車及びスマート車両からなるグループから選択される一つを有する、請求項１０に記載の移動セル基地局装置。
【発明の詳細な説明】
【技術分野】
【０００１】
本発明は、無線通信システムに係り、より詳しくは移動セル（Moving Cell）用同期信号を構成して送信する方法及びこのための装置に関する。
【背景技術】
【０００２】
本発明を適用して改善しようとする無線通信システムの一例として、３ＧＰＰ ＬＴＥ（3rd Generation Partnership Project Long Term Evolution；以下「ＬＴＥ」という）通信システムについて概略的に説明する。
【０００３】
図１は、無線通信システムの一例としてＥ−ＵＭＴＳネットワーク構造を概略的に示す図である。Ｅ−ＵＭＴＳ（Evolved Universal Mobile Telecommunications System）システムは、従来の（既存の）（conventional）ＵＭＴＳ（Universal Mobile Telecommunications System）から発展したシステムであって、現在３ＧＰＰで基礎的な標準化作業を進めている。一般に、Ｅ−ＵＭＴＳはＬＴＥ（Long Term Evolution）システムとも言える。ＵＭＴＳ及びＥ−ＵＭＴＳの技術規格（technical specification）の詳細な内容は、それぞれ、「3rd Generation Partnership Project；Technical Specification Group Radio Access Network」のＲｅｌｅａｓｅ ７及びＲｅｌｅａｓｅ ８を参照することができる。
【０００４】
図１を参照すると、Ｅ−ＵＭＴＳは、端末（User Equipment；ＵＥ）と、基地局（eNode B；ｅＮＢ）と、ネットワーク（Ｅ−ＵＴＲＡＮ）の終端（end terminal）に位置し、外部ネットワークと接続（連結、結合）される（connected）アクセスゲートウェイ（Access Gateway；ＡＧ）と、を含む。基地局は、ブロードキャストサービス、マルチキャストサービス及び／又はユニキャストサービスのために多重データストリームを同時に送信することができる。
【０００５】
一基地局には少なくとも一つのセルが存在する。セルは１．２５、２．５、５、１０、１５、２０Ｍｈｚなどの帯域幅のうちの一つに設定されて複数の端末に下り又は上り伝送サービスを提供する。互いに異なるセルは互いに異なる帯域幅を提供するように設定できる。基地局は、複数の（a plurality of）端末に対するデータ送受信を制御する。下りリンク（DownLink；ＤＬ）データに関して、基地局は、下りリンクスケジューリング情報を送信して、対応する（該当の）（corresponding）端末にデータが送信される時間／周波数領域、符号化、データの大きさ、ＨＡＲＱ（Hybrid Automatic Repeat and reQuest）関連情報などを知らせる。また、上りリンク（UpLink；ＵＬ）データに関して、基地局は、上りリンクスケジューリング情報を対応する端末に送信して、該当の端末が使うことができる時間／周波数領域、符号化、データの大きさ、ＨＡＲＱ関連情報などを知らせる。基地局間には、使用者トラフィック又は制御トラフィック伝送のためのインターフェースを用いることができる。コアネットワーク（Core Network；ＣＮ）は、ＡＧ及び端末の使用者登録などのためのネットワークノードなどを有することができる。ＡＧは、複数のセルからなるＴＡ（Tracking Area）単位で端末の移動性（モビリティ）（mobility）を管理する。
【０００６】
前述したような従来のＬＴＥ通信方式の性能を向上させるために５Ｇ通信技術に関して論議されており、５Ｇ通信方式は、既存の固定型基地局（ｅＮｏｄｅ  Ｂ）だけでなく多様な形態のセルをサポート（支援）する（support）ことができる。
【発明の概要】
【発明が解決しようとする課題】
【０００７】
以下では、移動セル（Moving Cell）をサポートする無線環境でハンドオーバを効率的にサポートする方法及びこのための装置を提案する。
【０００８】
このために、移動セルが効率的に同期信号を送信する方法及び移動セルが効率的に同期信号を送信する装置を提案する。
【０００９】
本発明によって得られる技術的課題（作業）（technical task）は、前述した技術的課題に限定されない。そして、言及しなかった他の技術的課題は、本発明が属する当該技術分野の当業者によって次の説明から明らかに理解可能であろう。
【課題を解決するための手段】
【００１０】
本発明の一技術的態様で、無線通信システムで移動セル（Moving Cell）基地局が同期信号を送信する方法であって、移動セル用に割り当てられたシーケンスに基づいて生成された移動セル同期信号シーケンスを周波数領域にマッピングする段階と、マッピングされた移動セル同期信号シーケンスを送信する段階と、を有し、移動セル同期信号シーケンスは、移動セルをサポートしない端末のための同期信号が送信される周波数領域とは異なる（different）周波数領域にマッピングされる、移動セル同期信号送信（伝送）（transmitting）方法が提供される。
【００１１】
移動セルをサポートしない端末のための同期信号は、搬送周波数を中心に６リソースブロック（Resource Block；ＲＢ）の長さを有する周波数領域で送信されることができ、移動セル同期信号シーケンスは、搬送周波数を中心に６ＲＢ以下の長さを有する周波数領域にマッピングされることができる。移動セルをサポートしない端末のための同期信号は、搬送周波数を中心に６ＲＢ（Resource Block）の長さを有する周波数領域で送信されることができ、移動セル同期信号シーケンスは、搬送周波数から±所定間隔で離れた位置にマッピングされることができる。
【００１２】
移動セルは、移動セルをサポートしない端末のための同期信号に追加して、移動セル同期信号シーケンスを送信することができる。追加して送信される移動セル同期信号シーケンスは、プライマリ同期信号（Primary Synchronization Signal：ＰＳＳ）及びセカンダリ同期信号（Secondary Synchronization Signal：ＳＳＳ）の少なくとも一つを有することができる。追加して送信される移動セル同期信号シーケンスは、プライマリ同期信号（Primary Synchronization Signal：ＰＳＳ）及びセカンダリ同期信号（Secondary Synchronization Signal：ＳＳＳ）とは異なるシーケンスとして規定されることができる。
【００１３】
移動セル同期信号シーケンスは、移動セル専用に割り当てられた所定のルートインデックスを有するザドフ−チューシーケンス（Zadoff-Chu Sequence）に基づいて生成されることができる。所定のルートインデックスは、レガシ端末のセル探索に利用可能なルートインデックスの一つとの和がザドフ−チューシーケンスの長さに対応するように決定されることができる。所定ルートインデックスは、移動セルをサポートする端末のセル探索に利用可能なルートインデックスの一つとの和がザドフ−チューシーケンスの長さに対応するように決定されることができる。
【００１４】
移動セル基地局は、移動セル同期信号シーケンスの情報を移動セル基地局が放送するシステム情報を介して送信することができる。
【００１５】
本発明の他の技術的態様で、無線通信システムで同期信号を送信する移動セル（Moving Cell）装置であって、無線を介してバックホール端に接続され、移動セル内の端末と無線信号を送受信する送受信部と、移動セル用に割り当てられたシーケンスに基づいて生成された移動セル同期信号シーケンスを周波数領域にマッピングし、マッピングされた移動セル同期信号シーケンスを送受信部を介して送信するように制御するプロセッサと、を有し、プロセッサは、移動セル同期信号シーケンスを移動セルをサポートしない端末のための同期信号が送信される周波数領域とは異なる周波数領域にマッピングするように構成される、移動セル装置が提供される。
【００１６】
移動セル装置は、移動性を有する交通手段に設置されることができ、交通手段は、バス、列車及びスマート車両からなるグループから選択される。
【発明の効果】
【００１７】
したがって、本発明は、次のような効果及び／又は特徴を提供することができる。
【００１８】
第一に、本発明は、レガシ端末用同期信号とは異なる周波数領域で移動セル用同期信号を送信することによって、レガシ端末のセル探索に及ぶ影響を最小にすることができる。
【００１９】
第二に、本発明は、高密度無線環境で移動セルの動きによって不必要にハンドオーバを試みることによって引き起こされる遅延を防止することができる。
【００２０】
第三に、本発明は、チャネル品質測定手順（過程）（procedure）においても移動セルに対する不必要な測定を防止することができる。
【００２１】
第四に、本発明は、レガシシステムにおけるセルＩＤと複素共役（Complex Conjugate）特性を有するセルＩＤを移動セルに用いることで、端末のセル探索が容易（簡便）に行える。
【００２２】
本発明から得られる効果は前述した効果に制限されない。また、言及しなかった他の効果は、本発明が属する当該技術分野の当業者によって次の説明から明らかに理解可能であろう。
【図面の簡単な説明】
【００２３】
【図１】無線通信システムの一例として、ＬＴＥシステムのＥ−ＵＭＴＳネットワークの構造を概略的に示す図である。
【図２】本発明が適用可能な５Ｇ移動通信システムの一例を示す図である。
【図３】ＬＴＥシステムに用いられる物理チャネル及びこれらを用いた一般的な信号伝送方法を説明するための図である。
【図４】本発明の一実施例によって、移動セル同期信号を、移動セルをサポートしない端末のための同期信号が伝送される周波数領域と異なる周波数領域にマッピングする方式を説明する図である。
【図５】本発明の一実施例によって、移動セル同期信号を、移動セルをサポートしない端末のための同期信号が伝送される周波数領域と異なる周波数領域にマッピングする方式を説明する図である。
【図６】本発明の一実施例による通信装置のブロック構成を例示する図である。
【発明を実施するための形態】
【００２４】
本発明の更なる理解を提供するために含まれ、この明細書に組み込まれてその一部をなす添付図面は、本発明の実施例を示し、本発明の説明とともに本発明の原理を説明する役割を果たす。
【００２５】
以下、添付図面に例示されている本発明の好適な実施例を詳細に参照する。本発明の以降の詳細な説明は、本発明の構成、機能及び他の特徴の完全な理解を容易にする詳細を含む。以降の説明で言及する実施例は、本発明の技術的特徴を３ＧＰＰシステムに適用する例を含む。
【００２６】
本明細書は、ＬＴＥシステム及びＬＴＥ−Ａシステムを用いて本発明の一実施例を説明するが、これは例示であって、本発明の一実施例は上記定義に相当するどの通信システムにも適用可能である。
【００２７】
前述したように、５Ｇ移動通信システムは、固定型基地局によるセルだけでなく多様な形態のセルをサポートすることができる。
【００２８】
図２は、本発明が適用可能な５Ｇ移動通信システムの一例を示す図である。
【００２９】
図２に示したように、一つのマクロセルは、マクロ基地局（ＭｅＮＢ）によってサービスを受ける端末（Macro UE：ＭＵＥ）を含むことができる。さらに、図２は、マクロセルの境界領域にマイクロセルの一種としてピコセルが形成され、ピコ基地局（Pico eNodeB：ＰｅＮＢ）及びフェムトセルを形成するフェムト基地局（Femto eNodeB：ＦｅＮＢ）によってサービスされる（サービスを受ける、サービスが提供される）ものを示している。ピコ基地局によってサービスされる端末をＭＵＥと区分されるようにＰｉｃｏ ＵＥ（ＰＵＥ）として表すことができる。また、フェムト基地局によってサービスされる端末をＭＵＥ及びＰＵＥと区分してＦＵＥとして表すことができる。ＰｅＮＢ／ＦｅＮＢは、マイクロセル又はスモールセルにサービスを提供する基地局の一例であって、多様な形態の小型基地局がこれに相当することができる。
【００３０】
マクロｅＮＢの追加の設置は、システム性能向上に比べてその費用及び複雑度の側面で非効率的であるため、前述したようなマイクロｅＮＢ（又は小型セル）の設置による異種ネットワークの利用（utilization of a heterogeneous network）が増大することが予測される。
【００３１】
現在通信ネットワークで考慮される異種ネットワークの構造によると、図２に示したように、一つのマイクロセルの中に複数のマイクロセルが共存することになり、セルコーディネーション（cell coordination）方式でリソースを割り当てて対応するＵＥにサービスを提供することになる。
【００３２】
現在３ＧＰＰの標準化カテゴリの一分野である「Small Cell Enhancements for E-UTRA and E-UTRAN SI」では、低電力ノードを使う室内／室外シナリオを向上させるための論議がなされている。ここで、使用者が同一乃至異なった搬送波（Carrier）を使うマクロセル層（layer）と小型セル層とに同時に接続する二重接続（デュアルコネクティビティ）（Dual Connectivity）の概念に関する利得が論議されている。このような動向を考慮すると、５Ｇ無線通信環境では、図２よりも複雑で多くの小型セルが配置されることによって、最終使用者（final user）がネットワークに物理的により近くに位置することになると考えられる。
【００３３】
また、本発明は、さらに他の形態のセルとして移動セル（Moving Cell）が存在する無線環境を仮定する。現在まで３ＧＰＰで考慮されてきた固定された形態の小型セルとは違い、５Ｇ無線通信環境で考慮可能な小型セル運用方法の一例として、移動セルの概念を考えることができる。以下の説明で記述する移動セルは、バス、列車又はスマート車両に装着された小型基地局を介して、移動しながら最終使用者により多い容量（Capacity）を提供するセルとして例示することができる。すなわち、移動セルは、物理的なセルを形成するネットワーク上の移動する無線ノードとして定義することができる。
【００３４】
このような移動セルを用いることにより、最終使用者にグループ移動性（Group Mobility）を提供することができ、バックホールリンクを介して大容量の集中したトラフィックを提供することができる。このために、固定されたインフラ構造（Infrastructure）からバス、列車、スマート車両に至るバックホールは無線を仮定し、バス、列車、スマート車両内部の帯域内（In-band）通信は、全二重（Full Duplex）を仮定する。
【００３５】
本発明で扱う５Ｇ移動セルの潜在的応用シナリオの基本的な特徴は、次の表１の通りに要約することができる。
【００３６】
【表１】
0006557249.tif 000002
【００３７】
前述したように、５Ｇ無線通信環境では、従来のような固定された小型セルに基づく通信だけでなく移動セルに基づく通信がなされることが予想され、このような移動セルに基づく通信ができるようにするためには、固定された小型セルに基づく技術的な課題や問題（イシュー）（problems or issues）とは差別化される移動セル特有の技術的課題や問題が推定（導出）され（deduced）て解決されなければならず、これは現在のＲＡＮに大きな影響を与えることができる。
【００３８】
このために、まずＬＴＥシステムにおける端末及び基地局の基本的な動作を説明する。
【００３９】
図３は、３ＧＰＰシステムに用いられる物理チャネル及びこれらを用いた一般的な信号伝送（送信）（transmitting）方法を説明するための図である。
【００４０】
図３を参照すると、端末は、電源がオンにされるか新たにセルに進入した場合、基地局と同期を合わせるなどの初期セル探索（Initial cell search）作業を遂行する（Ｓ３０１）。このために、端末は、基地局からプライマリ（主）同期チャネル（Primary Synchronization CHannel；Ｐ−ＳＣＨ）及びセカンダリ（副）同期チャネル（Secondary Synchronization CHannel；Ｓ−ＳＣＨ）を受信して基地局と同期を合わせ、セルＩＤなどの情報を獲得することができる。その後、端末は、基地局から物理放送チャネル（Physical Broadcast Channel）を受信してセル内放送情報を獲得することができる。一方、端末は、初期セル探索段階で、下りリンク参照信号（DownLink Reference Signal；ＤＬＲＳ）を受信して下りリンクチャネル状態を確認することができる。
【００４１】
初期セル探索を終えた端末は、物理下りリンク制御チャネル（Physical Downlink Control CHannel；ＰＤＣＣＨ）及び上記ＰＤＣＣＨに含まれた情報によって物理下りリンク共有チャネル（Physical Downlink Control CHannel；ＰＤＳＣＨ）を受信することによって、より具体的なシステム情報を獲得することができる（Ｓ３０２）。
【００４２】
一方、基地局に最初に接続（アクセス）する（access）場合かあるいは信号伝送のための無線リソースがない場合、端末は、基地局に対してランダムアクセス手順（Random Access Procedure）を遂行することができる（段階Ｓ３０３〜段階Ｓ３０６）。このために、端末は、物理ランダムアクセスチャネル（Physical Random Access CHannel；ＰＲＡＣＨ）を介して特定のシーケンスをプリアンブルとして送信し（Ｓ３０３及びＳ３０５）、ＰＤＣＣＨ及び対応するＰＤＳＣＨを介してプリアンブルに対応する応答メッセージを受信することができる（Ｓ３０４及びＳ３０６）。コンテンションベースの（競争に基づく）（contention based）ＲＡＣＨの場合、追加的に衝突解決手順（Contention Resolution Procedure）を遂行することができる。
【００４３】
前述したような手順を遂行した端末は、以後、一般的な下り／上りリンク信号伝送手順として、ＰＤＣＣＨ／ＰＤＳＣＨの受信（Ｓ３０７）及び物理上りリンク共有チャネル（Physical Uplink Shared CHannel；ＰＵＳＣＨ）／物理上りリンク制御チャネル（Physical Uplink Control CHannel；ＰＵＣＣＨ）の伝送（送信）（Ｓ３０８）を遂行することができる。特に、端末は、ＰＤＣＣＨを介して下りリンク制御情報（Downlink Control Information；ＤＣＩ）を受信する。ここで、ＤＣＩは、端末に対するリソース割当て情報などの制御情報を含み、その使用目的によってフォーマットが異なる。
【００４４】
一方、端末が上りリンクを介して基地局に送信するかあるいは端末が基地局から受信する制御情報は、下りリンク／上りリンクＡＣＫ／ＮＡＣＫ信号、ＣＱＩ（Channel Quality Indicator）、ＰＭＩ（Precoding Matrix Index（インデックス））、ＲＩ（Rank Indicator）などを含む。３ＧＰＰＬＴＥシステムの場合、端末は、前述したＣＱＩ／ＰＭＩ／ＲＩなどの制御情報をＰＵＳＣＨ及び／又はＰＵＣＣＨを介して送信することができる。
【００４５】
前述したような端末及び基地局の動作において、図２のように移動セルを運用することによって予測される一つの問題は、移動セルが図２に示したように混雑する異種ネットワーク間を移動することによってＭＵＥ、ＰＵＥ、ＦＵＥのチャネル品質測定に影響を与え、既存の基地局が移動セルに不必要なハンドオーバを遂行することができるという点である。例えば、移動セルが図２に示したような経路を移動するとき、マクロセルを介してサービスを受信していたＭＵＥが移動セルにハンドオーバを試みることができるが、該当のＭＵＥがハンドオーバを試みるときは、既に移動セルはＭＵＥの位置を通過していることがあり得る。
【００４６】
また、移動セルサポート環境で、移動セルは固定された基地局にまるで端末のように接続されて移動セル内のＵＥにサービスを提供する形態を有し、よって移動セルそのものも固定セルへの接続のためのハンドオーバ手順を遂行する必要がある。このために、移動セル（第１移動セル）は、周辺のセル信号に対してチャネル測定を行ってハンドオーバのターゲット（対象）（target）を探索することができる。ただ、混雑する異種ネットワーク環境で他の移動セル（第２移動セル）が存在する場合、第１移動セルは第２移動セル信号検索によってハンドオーバを決定し、不必要なハンドオーバを試みることができる。
【００４７】
したがって、本発明の一実施形態においては、移動セル同期信号を、移動セルをサポートしない端末のための同期信号が送信される周波数領域と異なる周波数領域にマッピングする方式を提案する。
【００４８】
図４及び図５は、本発明の一実施例によって移動セル同期信号を移動セルをサポートしない端末のための同期信号が伝送される周波数領域と異なる周波数領域にマッピングする方式を説明する図である。
【００４９】
一方、本発明の他の一実施形態においては、基地局が、移動セル専用セルＩＤの情報を用いて、端末が該当のＩＤを有するセルにハンドオーバを遂行しないように制御することを提案する。例えば、図２のＭｅＮＢは、移動セルのＩＤ情報を確保し、この情報を用いてＭＵＥが移動セルにハンドオーバを行うことを制御することができる。また、図２の移動セルそのものも移動セル用セルＩＤ情報を介して他の移動セルへのハンドオーバを防止することを提案する。
【００５０】
移動セル用セルＩＤは、ザドフ−チューシーケンス（Zadoff-Chu Sequence；ＺＣ ｓｅｑｕｅｎｃｅ）の特定のルートインデックスを用いたセルＩＤとして予め決定されていることができる。また、本発明の好適な一実施例によると、移動セル用ルートインデックスが、ＬＴＥシステムのセルＩＤを特定するのに用いられるＺＣシーケンスの一つのルートインデックスとの和がＺＣシーケンスの長さを満たすように構成されたルートインデックスを使うことを提案する。これについて以下に詳細に説明する。
【００５１】
【数１】
0006557249.tif 000003
【００５２】
【数２】
0006557249.tif 000004
【００５３】
【表２】
0006557249.tif 000005
【００５４】
このようなルートインデックスを用いて、長さ６３を有するプライマリ同期信号は次の式によって生成される。
【００５５】
【数３】
0006557249.tif 000006
【００５６】
上記式１で、最終的に生成されるシーケンスの長さは６２であるが、これは長さ６３のＺＣシーケンスを用いたものに対応（相応）する（corresponds）。
【００５７】
【数４】
0006557249.tif 000007
【００５８】
【数５】
0006557249.tif 000008
【００５９】
【数６】
0006557249.tif 000009
【００６０】
【表３】
0006557249.tif 000010
【００６１】
本発明の一側面では、前述したように、移動セルのセルＩＤを規定して不必要なハンドオーバを防止し、さらに不必要な測定を防止するために接続（アクセス）リンク（access link）において移動セルのＰＣＩＤを新しく構成する方法を提案する。具体的には、本発明によると、従来の５０４個の物理層セルＩＤに加え、移動セルのための新しい物理層セルＩＤを定義するものである。具体的な一例において、従来の０〜２ＰＳＳ及び０〜１６７ＳＳＳの構造を０〜３ＰＳＳ及び０〜１６７ＳＳＳの構造に変更して、移動セルのための物理層セルＩＤ構成のためにＳＳＳの構造は変更しないで、ＰＳＳを４個作ることを提案する。
【００６２】
現在、ＬＴＥ／ＬＴＥ−Ａにおいて、ＰＳＳは前述したように長さ６３のＺＣシーケンスを介して生成され、ＺＣシーケンスを生成するのに使われるルートインデックスは２９、３４、２５である。ＺＣシーケンスを生成するのに使われるルートインデックスの中で２９と３４とはその和がＺＣシーケンスの長さ６３に対応する。
【００６３】
このように、ルートインデックスの和がＺＣシーケンスの長さに対応する場合、上記式１のようなＺＣシーケンスの生成式の観点で、２個のシーケンスは複素共役（Complex Conjugate）の関係を有することになる。このような複素共役の関係を有する２個のシーケンスは、端末がセル探索の際にそれぞれのシーケンスを別々に相関演算せずに、一つの相関演算の中間値を他の相関演算に再利用することができるので、セル探索時に演算量を効率的に減少させる利点を有する。
【００６４】
したがって、本実施例のように、１個のルートインデックスを付け加えて、これによる１６８個のセルＩＤを新しく規定する場合、新しく用いるルートインデックスは、レガシシステムのルートインデックスとの和がＺＣシーケンスの長さに対応するように設定することを提案する。
【００６５】
前述したように、ＬＴＥシステムにおいてＰＳＳの生成に用いられるＺＣシーケンスのルートインデックスは、２９、３４及び２５である。この中で３９と３４とはその和が６３である条件を満足している。よって、本実施例によると、ルートインデックス３８を新しく規定するセルＩＤの生成に用いることを提案する。前述したようなルートインデックス３８は、レガシシステムにおけるルートインデックス２５との和がＺＣシーケンスの長さ６３に対応して、ルートインデックス２５と複素共役であるという特徴を有するルートインデックス対を成すことができるという利点を有する。
【００６６】
本発明の他の一実施例によると、新しく規定するセルＩＤのためのルートインデックスを１個のみ付け加えるものではなく、３個を付け加えて合計６個のルートインデックスを活用することを提案する。この場合、合計６個のルートインデックスは、前述したようにそれぞれ２個ずつ複素共役関係を有する対を成すことを提案する。この場合、移動セルＩＤのためのＺＣシーケンスのルートインデックスは、レガシシステムの特定のルートインデックスとの和がＺＣシーケンスの長さに対応することも、他の新しく規定されたルートインデックスとの和がＺＣシーケンスの長さに対応することもできる。
【００６７】
現在、ＬＴＥ／ＬＴＥ−Ａにおいて、物理層セルＩＤの数は、ＰＳＳコードシーケンスとＳＳＳコードシーケンスとの組合せで構成される５０４個が定義される。セル探索は、ＵＥが一つのセルとの時間／周波数同期を獲得し、前述したように特定セルのセルＩＤを識別するための手順を意味する。すなわち、Ｅ−ＵＴＲＡセル探索はＤＬで送信されるＰＳＳ／ＳＳＳに基づき、これはハンドオーバ時の測定のための隣接したセルの探索にも同様に適用される。
【００６８】
しかし、５Ｇ無線通信環境に受け入れられる移動セルを考慮するとき、ＵＥが一応バス、列車又はスマート車両に乗れば、ＵＥは、当該バス、列車又はスマート車両を自体のサービングセルとして認識し、バス、列車又はスマート車両を介してＤＬ／ＵＬ制御信号やＤＬ／ＵＬデータを取り交わすことができる。このような環境は、従来の４Ｇ無線通信環境まで考慮した固定された形態の小型セルに基づく通信とは差別化される。バス、列車又はスマート車両の場合、複数のＵＥを同時にサービスしなければならないため、通信サービスの信頼性や遅延がより重要な問題になると考えられる。すなわち、移動セルを介した通信が実現されるためには、移動セルは、自体の移動による環境の変化に透明な方式で使用者に高品質のサービスを提供しなければならない。
【００６９】
よって、４Ｇに基づく無線通信環境で定義されたハンドオーバ時のチャネル測定（Measurement）のための隣接セル探索で、移動セルがバックホールリンク（Backhaul Link）における固定基地局以外の接続リンク（Access Link）で他の移動セルを感知して測定することは、移動セルにとって不必要な測定負荷を引き起こすことができる。このような問題は、移動セルの移動経路に隣接した他のセルにとっても問題となることができる。
【００７０】
よって、前述したように新しく規定される移動セル用セルＩＤが予め決定されていれば、移動セル基地局は、該当のセルＩＤを有する他の移動セルへのハンドオーバを制限して、不必要な測定を遂行しないようにすることができる。
【００７１】
一方、本発明の他の一実施形態では、移動セル用セルＩＤの情報をシステム情報を用いて送信する方法を提案する。この場合、移動セル用セルＩＤは前述したように新しく規定されたセルＩＤであることもできるが、必ずしも新しく規定されたセルＩＤである必要はない。すなわち、既存のＬＴＥシステムで用いられるセルＩＤの中で移動セルによって用いられるセルＩＤをシステム情報を介して知らせることができる。
【００７２】
ＬＴＥシステムにおいて、システム情報としてＳＩＢタイプ１及び２が用いられ、ＳＩＢタイプ１は、ＵＥが特定のセルへの接続を承諾する（grant）か否かに関する評価情報を含んでおり、ＳＩＢタイプ２は、すべてのＵＥのための共通の無線リソース構成情報を含んでいる。
【００７３】
まず、ＳＩＢタイプ１は次のように規定されている。
【００７４】
【表４−１】
0006557249.tif 000011
【表４−２】
0006557249.tif 000012
【００７５】
本発明の一実施例によると、上記表４のようなＳＩＢタイプ１のメッセージに移動セルの接続リンクのための物理層ＩＤ情報又は移動セルの接続リンクに対する物理層セルであることを示す指示（表示）（indication）情報を付け加えて送信することを提案する。また、ＳＩＢタイプ２を介して移動セル用同期信号を送信する周波数領域の情報をさらに知らせることができる。このような情報を付け加えるＳＩＢタイプ１が移動セルによって放送されれば、隣接した（又は隣接した移動）セルの基地局は、これによって移動セルの情報を獲得することができる。また、隣接した（又は隣接した移動）セルの基地局は、このようなＳＩＢタイプ１をセル内に放送して、セル内のＵＥが不必要に移動セルを測定するかあるいはハンドオーバを遂行することがないようにすることができる。
【００７６】
一方、本発明の他の一実施例によると、ＳＩＢタイプ２情報を用いることを提案する。ＳＩＢタイプ２は次のような形態を有する。
【００７７】
【表５−１】
0006557249.tif 000013
【表５−２】
0006557249.tif 000014
【００７８】
上記表５に示したＳＩＢタイプ２のメッセージにおいて、「ＡＣ Ｂａｒｒｉｎｇ Ｐａｒａｍｅｔｅｒ」内に移動セルの接続リンクに対する物理層セルであることを示す情報が含まれていれば、ＬＴＥ／ＬＴＥ−Ａシステムに基づいて適用される状況で、一般的なＵＥ（レガシＵＥを含む）は移動セルに対して従来のセルと同様に接続することができ、隣接した（移動）セルは該当の情報を把握した後、上記ＳＩＢタイプ２情報を送信する隣接した移動セルに接続しないようにすることができる。すなわち、移動セルが保有している一つまたは複数の接続クラスに対し、ビットストリングとして明示されるａｃ−ＢａｒｒｉｎｇＦｏｒＳｐｅｃｉａｌＡＣフィールドの値を移動セルを明示するビット値を０に設定することにより、隣接した（移動）セルはこのような情報を参照して上記動作を遂行することができる。
【００７９】
他の実施例によると、上記ＳＩＢタイプ２のメッセージに移動セルが識別することができる特定のセルが小型セルであることを示す指示情報が付け加えられれば、ＬＴＥ／ＬＴＥ−Ａシステムに基づいて適用される状況で、移動セルは該当の情報を把握した後、上記ＳＩＢタイプ２情報を送信する隣接した小型セルに接続しないようにすることができる。すなわち、移動セルが保有している一つまたは複数の接続クラスに対し、ビットストリングとして明示されるａｃ−ＢａｒｒｉｎｇＦｏｒＳｐｅｃｉａｌＡＣフィールドの値と小型セルを明示するビット値とを０に設定することにより、移動セルはこのような情報を参照して上記動作を遂行することができる。
【００８０】
図６は本発明の一実施例による通信装置のブロック構成図を例示する。
【００８１】
図６を参照すると、通信装置は、プロセッサ１１、メモリ１２及びＲＦモジュール１３を含んでなることができ、このような構成２１、２２、２３を含む他の通信装置と通信を遂行することができる。
【００８２】
図６の一つの通信装置はＵＥ、他の一つの通信装置は基地局であり得る。図６の通信装置は説明の便宜のために示したもので、一部のモジュールは省略できる。また、通信装置は必要なモジュールをさらに含むことができる。
【００８３】
通信装置のプロセッサ１１／２１は、前述したような本発明の実施例による方法を遂行するための大部分の制御を遂行することができる。メモリ１２／２２は、プロセッサ１１／２１と接続されて必要な情報の記憶を遂行することができ、ＲＦユニット１３／２３は、無線信号を送受信してプロセッサ１１／２１に伝達することができる。
【００８４】
以上で説明した実施例は、本発明の構成要素及び特徴が所定形態で結合され（組み合わせられ）たものである。それぞれの構成要素又は特徴は、別途の明示的言及がない限り、選択的なものとして考慮しなければならない。それぞれの構成要素又は特徴は、他の構成要素や特徴と結合されない形態で実施できる。また、一部の構成要素及び／又は特徴を結合して本発明の一実施例を構成することも可能である。本発明の実施例で説明した動作の順序は変更可能である。ある実施例の一部の構成や特徴は他の実施例に含まれることができ、あるいは他の実施例の対応する構成又は特徴に置き替えられることができる。
【００８５】
本発明の実施例は多様な手段によって具現できる。例えば、本発明の実施例は、ハードウェア、ファームウエア（firmware）、ソフトウェア又はそれらの組合せによって具現できる。ハードウェアによる具現の場合、本発明の一実施例は、一つ又はそれ以上のＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）、プロセッサ、コントローラ、マイクロコントローラ、マイクロプロセッサなどによって具現できる。
【００８６】
ファームウエアやソフトウェアによる具現の場合、本発明の一実施例は、以上で説明した機能又は動作を行うモジュール、手順及び／又は関数によって具現できる。ソフトウェアコードは、メモリユニットに記憶され、プロセッサによって実行されることができる。上記メモリユニットは、上記プロセッサの内部又は外部に位置し、既に知られた多様な手段によって上記プロセッサとデータをやりとりすることができる。
【００８７】
本発明は本発明の好適な実施例に基づいて説明して図示したが、当業者であれば、本発明の精神及び範囲から逸脱しない範疇内で多様な変形及び修正が可能であることが明らかであろう。したがって、本発明は添付の請求範囲及びその等価物の範囲内に属する本発明の変形及び修正を含む。
【産業上の利用可能性】
【００８８】
前述したように、移動セル用同期信号伝送方法及びこのための装置は、３ＧＰＰ ＬＴＥシステムに適用される例を中心に説明した。その上、本発明は、３ＧＰＰ ＬＴＥシステムだけでなく多様なモバイル通信システムに適用可能である。
【図１】
0006557249.tif 000015
【図２】
0006557249.tif 000016
【図３】
0006557249.tif 000017
【図４】
0006557249.tif 000018
【図５】
0006557249.tif 000019
【図６】
0006557249.tif 000020